(57)【要約】【課題】照明ユニットの端部を支持するホルダーをパネルに簡単、確実に固定する。【解決手段】左ＬＥＤホルダー１７の軸支部の左に突出した第１前後変位制限部を第１取付孔２３における反第２取付孔２４側の前面の縁に引っ掛けてから、背面側から軸部２５を第２取付孔２４に挿入すると、途中で、ホルダー係止爪２６を有する軸部２５が第２取付孔２４の反第１取付孔２３側の縁に押されて弾性変形するが、ディスプレーパネルの背面と第２前後変位制限部２９とが略当接するまで回動した時には、軸部２５が弾性復帰して、ホルダー係止爪２６が、ディスプレーパネルの前面で第２取付孔２４における反第１取付孔２３側の周面に前方から略当接すると共に、第２取付孔２４の内周の反第１取付孔２３側の面に第１取付孔２３側から弾性的に当接して、ディスプレーパネルへの左ＬＥＤホルダー１７の取付、固定は完了する。【選択図】図７
2013161147.tif 000002
【特許請求の範囲】
【請求項１】
直管型の照明ユニットの端部を支持する一対のホルダーと、前記照明ユニットの長手方向に略平行な面に前記ホルダーを取り付けるための取付孔を有するパネルとを備え、前記ホルダーは、前記取付孔を貫通するとともに前記取付孔の内周側に弾性変形可能な軸部と、前記軸部の先端に形成されて前記パネルにおける前記取付孔の周面に係止され前記取付孔の外周側へ広がる係止爪と、前記取付孔の縁に前記取付孔の内周側から当接して前記ホルダーが前記パネルの前記面に平行な方向に変位するのを制限する変位制限部と、前記パネルにおける前記係止爪が係止される面とは反対側の前記取付孔の周面に当接する第１当接部とを有し、前記変位制限部と前記取付孔の縁との当接と前記第１当接部と前記係止爪とで発生する締結力とにより前記ホルダーが前記パネルの前記取付孔に固定されることを特徴とする照明装置。
【請求項２】
前記パネルにおける前記係止爪が係止される面と同じ側の前記取付孔の周面に当接する第２当接部を有することを特徴とする請求項１に記載の照明装置。
【請求項３】
前記パネルにおける前記係止爪が係止される部分と、前記パネルにおける前記第２当接部が当接する部分との間に、前記パネルにおける前記第１当接部が当接する部分と前記取付孔が位置することを特徴とする請求項２に記載の照明装置。
【請求項４】
前記取付孔は、孔の周面に前記第２当接部が当接する第１取付孔と、前記軸部が貫通し孔の周面に前記係止爪が係止される第２取付孔とからなり、前記第１当接部が前記パネルにおける前記第１取付孔と前記第２取付孔との間の部分に当接することを特徴とする請求項３に記載の照明装置。
【請求項５】
前記パネルにおける前記係止爪が係止される部分と、前記パネルにおける前記第１当接部が当接する部分と、前記パネルにおける前記第２当接部が当接する部分とが、前記照明ユニットの長手方向に並んでいることを特徴とする請求項３または４に記載の照明装置。
【請求項６】
前記ホルダーは、前記パネルの反照明ユニット側から前記パネルに取付けられることを特徴とする請求項１から５のいずれか一項に記載の照明装置。
【請求項７】
前記ホルダーは、透明な樹脂を成形したものであることを特徴とする請求項１から６のいずれか一項に記載の照明装置。
【請求項８】
前記ホルダーは、前記取付孔を塞ぐ部分の表面を荒らして曇らせていることを特徴とする請求項７に記載の照明装置。
【請求項９】
前記ホルダーは前記照明ユニットの端部が挿入される貫通孔を有し、前記照明ユニットと端部形状が異なる異形照明ユニットについては、アダプターを介して支持可能であり、前記アダプターは、前記貫通孔よりも径が大きい基部と、前記基部から延びて前記貫通孔に嵌合挿入され前記異形照明ユニットの端部と嵌合する嵌合部と、前記基部から延びて前記貫通孔の外側を通って前記異形照明ユニットの外周面と係合する前記異形照明ユニットの外周面から離れる方向に弾性変形可能な係止片とを有することを特徴とする請求項１から８のいずれか一項に記載の照明装置。
【請求項１０】
自動販売機の前面に設けられた商品サンプル展示室内の商品サンプルを、請求項１から９のいずれか一項に記載の照明装置を用いて照明する自動販売機の照明装置。
【発明の詳細な説明】
【技術分野】
【０００１】
本発明は、自動販売機の前面に設けられた商品サンプル展示室内の商品サンプルを、照明ユニットを用いて照明する用途などに用いられる照明装置に関するものである。
【背景技術】
【０００２】
一般の自動販売機は、自動販売機本体の前面に配置される外扉に商品サンプル展示室が設けられている。商品サンプル展示室は、前面の窓部が透明板によって覆われており、その内部に販売商品に対応した商品サンプルが上下複数段に分けて左右方向に並べられている。
【０００３】
なお、商品サンプルは、商品サンプル展示室の背面パネルに支持させたサンプル台に整列した状態で搭載されており、サンプル台の前方の透明板には、商品サンプル毎に選択ボタンを設けている。
【０００４】
また、商品サンプル展示室には、商品サンプル展示室及び商品サンプルを照明する照明ユニットが配置されている。
【０００５】
従来のこの種の照明装置としては、照明ユニットを、商品サンプル展示室内の上部と、サンプル台の内部に配置し、照明ユニットに直管型の蛍光灯を用いたものがあった（例えば、特許文献１参照）。
【０００６】
この従来例では、背面パネルに取り付けられる蛍光灯支持部によって、蛍光灯の両端部が支持されている。
【０００７】
背面パネルの所定位置には鍵孔状の左右一対の係止孔が設けられており、この鍵孔状の一対の係止孔に、蛍光灯支持部の背後に左右対向形成された鍵状の一対の係止突起部を係止して、背面パネルに蛍光灯支持部を取り付けている。
【０００８】
蛍光灯支持部の背後面には、半球状の小突起が形成されていて、これに対応する小孔が背面パネルに形成され、背面パネルに蛍光灯支持部を取り付けた状態で、小突起を小孔に係入して、背面パネルに対して蛍光灯支持部を位置決め保持している。
【先行技術文献】
【特許文献】
【０００９】
【特許文献１】特開２００４−０８６８５３号公報
【発明の概要】
【発明が解決しようとする課題】
【００１０】
しかしながら、特許文献１に開示された従来例は、背面パネルの所定位置に設けられた鍵孔状の左右一対の係止孔に、蛍光灯支持部の背後に左右対向形成された鍵状の一対の係止突起部を挿入した後に、蛍光灯支持部の背後面に形成された半球状の小突起が、背面パネルの所定位置に形成された小孔に係入する方向（下方向）に蛍光灯支持部をスライドさせて、蛍光灯支持部の小突起を背面パネルの小孔に係入して、背面パネルに対して蛍光灯支持部を位置決め保持するものであるため、背面パネルへの蛍光灯支持部の取付作業に手間取ることがあった、
また、蛍光灯支持部の小突起の背面パネルの小孔への係入が不充分であった場合や、小突起と小孔の寸法のバラツキまたは経年変化で小突起の小孔への係入が不充分になった場
合に、自動販売機の運搬時の振動や地震で上下方向に所定の振動を受けると、蛍光灯支持部の係止突起部が背面パネルの係止孔から抜けて、蛍光灯支持部と蛍光灯が落下する可能性があった。
【００１１】
そこで、本発明は、上記従来の課題に鑑み、直管型の照明ユニットの端部を支持する一対のホルダーを、背面のパネルに簡単、確実に取付、固定することが可能な照明装置を提供することを目的としている。
【課題を解決するための手段】
【００１２】
上記目的を達成するために、本発明の照明装置は、直管型の照明ユニットの端部を支持する一対のホルダーと、前記照明ユニットの長手方向に略平行な面に前記ホルダーを取り付けるための取付孔を有するパネルとを備える。
【００１３】
ここで、前記ホルダーは、前記取付孔を貫通するとともに前記取付孔の内周側に弾性変形可能な軸部と、前記軸部の先端に形成されて前記パネルにおける前記取付孔の周面に係止され前記取付孔の外周側へ広がる係止爪と、前記取付孔の縁に前記取付孔の内周側から当接して前記ホルダーが前記パネルの前記面に平行な方向に変位するのを制限する変位制限部と、前記パネルにおける前記係止爪が係止される面とは反対側の前記取付孔の周面に当接する第１当接部とを有する。
【００１４】
そして、前記変位制限部と前記取付孔の縁との当接と前記第１当接部と前記係止爪とで発生する締結力とにより前記ホルダーが前記パネルの前記取付孔に固定されるように構成したのである。
【００１５】
これにより、ホルダーの軸部と変位制限部をパネルの取付孔に挿入して、軸部の先端の係止爪をパネルにおける取付孔の周面に係止させると共に、第１当接部をパネルにおける係止爪が係止される面とは反対側の取付孔の周面に当接させ、さらに、変位制限部を取付孔の縁に取付孔の内周側から当接させる作業だけで、変位制限部と取付孔の縁との当接と第１当接部と係止爪とで発生する締結力とによりホルダーをパネルの取付孔に固定することができる。
【００１６】
したがって、従来のものより、直管型の照明ユニットの端部を支持する一対のホルダーを、背面のパネルに簡単、確実に取付、固定することが可能となる。
【発明の効果】
【００１７】
本発明によれば、ホルダーの軸部と変位制限部をパネルの取付孔に挿入して、軸部の先端の係止爪をパネルにおける取付孔の周面に係止させると共に、第１当接部をパネルにおける係止爪が係止される面とは反対側の取付孔の周面に当接させ、さらに、変位制限部を取付孔の縁に取付孔の内周側から当接させる作業だけで、変位制限部と取付孔の縁との当接と第１当接部と係止爪とで発生する締結力とによりホルダーをパネルの取付孔に固定することができる。
【００１８】
したがって、従来のものより、直管型の照明ユニットの端部を支持する一対のホルダーを、背面のパネルに簡単、確実に取付、固定できる。
【図面の簡単な説明】
【００１９】
【図１】本発明の実施の形態１の照明装置を適用する自動販売機の正面図
【図２】同実施の形態の照明装置を適用する自動販売機の内扉を前方右上から見た場合の斜視図
【図３】同実施の形態の照明装置に用いるＬＥＤユニットを前方右上から見た場合の斜視図
【図４】同実施の形態の照明装置に用いるＬＥＤユニットの左端部を前方左上から見た場合の部分斜視図
【図５】同実施の形態の照明装置に用いるＬＥＤユニットの右端部を後方右上から見た場合の部分斜視図
【図６】同実施の形態の照明装置に用いるＬＥＤユニットの左端部近傍の発光部分を長手方向に略垂直に切断した場合の左端部側の断面を前方右上から見た場合の斜視図
【図７】同実施の形態の照明装置におけるＬＥＤユニットの左端部の取付箇所を前方左上から見た場合の部分斜視図
【図８】同実施の形態の照明装置におけるＬＥＤユニットの右端部の取付箇所を前方右上から見た場合の部分斜視図
【図９】同実施の形態の照明装置に用いる左ＬＥＤホルダーを後方左下から見た場合の斜視図
【図１０】同実施の形態の照明装置に用いる右ＬＥＤホルダーを後方右下から見た場合の斜視図
【図１１】同実施の形態の照明装置に用いる異型ＬＥＤユニットを前方右上から見た場合の斜視図
【図１２】同実施の形態の照明装置における異型ＬＥＤユニットの左端部の取付箇所を前方左上から見た場合の部分斜視図
【図１３】同実施の形態の照明装置における異型ＬＥＤユニットの右端部の取付箇所を前方右上から見た場合の部分斜視図
【図１４】同実施の形態の照明装置における左用のＬＥＤアダプターを後方右上から見た場合の斜視図
【発明を実施するための形態】
【００２０】
第１の発明は、直管型の照明ユニットの端部を支持する一対のホルダーと、前記照明ユニットの長手方向に略平行な面に前記ホルダーを取り付けるための取付孔を有するパネルとを備え、前記ホルダーは、前記取付孔を貫通するとともに前記取付孔の内周側に弾性変形可能な軸部と、前記軸部の先端に形成されて前記パネルにおける前記取付孔の周面に係止され前記取付孔の外周側へ広がる係止爪と、前記取付孔の縁に前記取付孔の内周側から当接して前記ホルダーが前記パネルの前記面に平行な方向に変位するのを制限する変位制限部と、前記パネルにおける前記係止爪が係止される面とは反対側の前記取付孔の周面に当接する第１当接部とを有し、前記変位制限部と前記取付孔の縁との当接と前記第１当接部と前記係止爪とで発生する締結力とにより前記ホルダーが前記パネルの前記取付孔に固定されるように構成したのである。
【００２１】
これにより、ホルダーの軸部と変位制限部をパネルの取付孔に挿入して、軸部の先端の係止爪をパネルにおける取付孔の周面に係止させると共に、第１当接部をパネルにおける係止爪が係止される面とは反対側の取付孔の周面に当接させ、さらに、変位制限部を取付孔の縁に取付孔の内周側から当接させる作業だけで、変位制限部と取付孔の縁との当接と第１当接部と係止爪とで発生する締結力とによりホルダーをパネルの取付孔に固定することができる。
【００２２】
したがって、従来のものより、直管型の照明ユニットの端部を支持する一対のホルダーを、背面のパネルに簡単、確実に取付、固定することが可能となる。
【００２３】
第２の発明は、第１の発明において、前記パネルにおける前記係止爪が係止される面と同じ側の前記取付孔の周面に当接する第２当接部を有するものであり、第１の発明における第１当接部と係止爪とで発生する締結力に、第１当接部と第２当接部とで発生する締結力が加わるため、第１の発明よりも、ホルダーを背面のパネルにしっかりと取付、固定す
ることができる。
【００２４】
なお、ホルダーの背面のパネルへの取付については、例えば、係止爪を取付孔の周面に係止させる前に、第２当接部を取付孔の周面に当接させることができるように、第２当接部と係止爪を配置して、第２当接部を取付孔の周面に当接させた後に係止爪を取付孔の周面に係止させるようにホルダーの軸部と変位制限部と第２当接部をパネルの取付孔に挿入すれば、ホルダーを背面のパネルに簡単、確実に取り付けることができる。
【００２５】
第３の発明は、第２の発明において、前記パネルにおける前記係止爪が係止される部分と、前記パネルにおける前記第２当接部が当接する部分との間に、前記パネルにおける前記第１当接部が当接する部分と前記取付孔が位置するものであり、第２当接部を取付孔の周面に当接させた後に係止爪を取付孔の周面に係止させるようにホルダーの軸部と変位制限部と第２当接部をパネルの取付孔に挿入すれば、ホルダーを背面のパネルに簡単、確実に取り付けることができると共に、第１当接部と係止爪との締結力と、第１当接部と第２当接部との締結力を発生させることができる。
【００２６】
第４の発明は、第３の発明において、前記取付孔は、孔の周面に前記第２当接部が当接する第１取付孔と、前記軸部が貫通し孔の周面に前記係止爪が係止される第２取付孔とからなり、前記第１当接部が前記パネルにおける前記第１取付孔と前記第２取付孔との間の部分に当接するものである。
【００２７】
そして、第２当接部を第１取付孔の周面に当接させた後に係止爪を第２取付孔の周面に係止させるようにホルダーの第２当接部をパネルの第１取付孔に挿入すると共にホルダーの軸部をパネルの第２取付孔に挿入すれば、ホルダーを背面のパネルに簡単、確実に取り付けることができると共に、第１当接部と係止爪との締結力と、第１当接部と第２当接部との締結力を発生させることができる。
【００２８】
ところで、第１当接部と係止爪との締結力と、第１当接部と第２当接部との締結力とを用いてホルダーを背面のパネルに取付、固定する場合は、係止爪と第２当接部とが離れるほどホルダーをパネルに取り付ける作業が容易になったり固定がより確実になったりするが、そのために取付孔を大きくすれば、取付孔または取付孔を覆っている部分が目立って外観が悪くなる。
【００２９】
これに対して、第４の発明では、取付孔を、孔の周面に第２当接部が当接する第１取付孔と、軸部が貫通し孔の周面に係止爪が係止される第２取付孔とに分けたので、取付孔を大きくする（取付孔部分の外観を悪くする）ことなく、係止爪と第２当接部とを離してホルダーをパネルに取り付ける作業を容易にしたり固定をより確実にすることができ、第１取付孔と第２取付孔との間の部分を第１当接部が当接する部分に利用することができる。
【００３０】
第５の発明は、第３または第４の発明において、前記パネルにおける前記係止爪が係止される部分と、前記パネルにおける前記第１当接部が当接する部分と、前記パネルにおける前記第２当接部が当接する部分とが、前記照明ユニットの長手方向に並んでいるものである。
【００３１】
上記構成により、まず、ホルダーの第２当接部をパネルに当接させ、次にホルダーの第１当接部をパネルに当接させ、最後にホルダーの係止爪をパネルに係止させるといった順番で、ホルダーをパネルに取り付ける作業を容易に行うことができる。
【００３２】
第６の発明は、第１から第５のいずれかの発明において、前記ホルダーが、前記パネルの反照明ユニット側から前記パネルに取付けられるものであり、ホルダーがパネルから外
れる場合に、パネルの照明ユニット側ではなく反照明ユニット側に外れるようにすることができる。
【００３３】
そして、ホルダーがパネルから反照明ユニット側に外れる場合は、照明ユニット側に外れる場合よりも、ホルダーと照明ユニットが落下せずに外れたままの状態で留まる可能性が高く、ホルダーと照明ユニットが落下せずに外れたままの状態で留まれば、ホルダーと照明ユニットを破損させて新しいものに取り換えることなく取り付け直すことができる可能性が非常に高い。
【００３４】
第７の発明は、第１から第６のいずれかの発明において、前記ホルダーが、透明な樹脂を成形したものであり、照明ユニットの光がホルダーを透過するので、ホルダーの影や、照明ユニットの長手方向両側にホルダーによる比較的暗い部分が目立たなくなり、特に、自動販売機の商品サンプル展示室の照明に用いる場合は、商品サンプル展示室の外観が良くなる。
【００３５】
第８の発明は、第７の発明において、前記ホルダーが、前記取付孔を塞ぐ部分の表面を荒らして曇らせているものであり、特に、自動販売機の商品サンプル展示室の照明に用いる場合は、取付孔を通してパネルの奥にある断熱材などの部材が外部から見えにくくなり、商品サンプル展示室の外観が良くなる。
【００３６】
第９の発明は、第１から第８のいずれかの発明において、前記ホルダーは前記照明ユニットの端部が挿入される貫通孔を有し、前記照明ユニットと端部形状が異なる異形照明ユニットについては、アダプターを介して支持可能であり、前記アダプターは、前記貫通孔よりも径が大きい基部と、前記基部から延びて前記貫通孔に嵌合挿入され前記異形照明ユニットの端部と嵌合する嵌合部と、前記基部から延びて前記貫通孔の外側を通って前記異形照明ユニットの外周面と係合する前記異形照明ユニットの外周面から離れる方向に弾性変形可能な係止片とを有するものである。
【００３７】
上記構成により、第１から第８のいずれかの発明で用いる照明ユニットと端部形状が異なる異形照明ユニットについては、第１から第８のいずれかの発明で用いる照明ユニットの端部が挿入される貫通孔を有するホルダーに、上記構成のアダプターを介して支持できるので、汎用性を高めることができる。
【００３８】
第１０の発明は、自動販売機の前面に設けられた商品サンプル展示室内の商品サンプルを、第１から第９のいずれかの発明の照明装置を用いて照明するものであり、第１から第９のいずれかの発明の作用効果を有する自動販売機の照明装置が得られる。
【００３９】
以下、本発明の照明装置の実施の形態について、図面を参照しながら説明する。なお、この実施の形態によって本発明が限定されるものではない。
【００４０】
（実施の形態１）
図１は本発明の実施の形態１の照明装置を適用する自動販売機の正面図、図２は同実施の形態の照明装置を適用する自動販売機の内扉を前方右上から見た場合の斜視図、図３は同実施の形態の照明装置に用いるＬＥＤユニットを前方右上から見た場合の斜視図、図４は同実施の形態の照明装置に用いるＬＥＤユニットの左端部を前方左上から見た場合の部分斜視図、図５は同実施の形態の照明装置に用いるＬＥＤユニットの右端部を後方右上から見た場合の部分斜視図、図６は同実施の形態の照明装置に用いるＬＥＤユニットの左端部近傍の発光部分を長手方向に略垂直に切断した場合の左端部側の断面を前方右上から見た場合の斜視図である。
【００４１】
また、図７は同実施の形態の照明装置におけるＬＥＤユニットの左端部の取付箇所を前方左上から見た場合の部分斜視図、図８は同実施の形態の照明装置におけるＬＥＤユニットの右端部の取付箇所を前方右上から見た場合の部分斜視図、図９は同実施の形態の照明装置に用いる左ＬＥＤホルダーを後方左下から見た場合の斜視図、図１０は同実施の形態の照明装置に用いる右ＬＥＤホルダーを後方右下から見た場合の斜視図である。
【００４２】
また、図１１は同実施の形態の照明装置に用いる異型ＬＥＤユニットを前方右上から見た場合の斜視図、図１２は同実施の形態の照明装置における異型ＬＥＤユニットの左端部の取付箇所を前方左上から見た場合の部分斜視図、図１３は同実施の形態の照明装置における異型ＬＥＤユニットの右端部の取付箇所を前方右上から見た場合の部分斜視図、図１４は同実施の形態の照明装置における左用のＬＥＤアダプターを後方右上から見た場合の斜視図である。
【００４３】
図１から図１４に示すように、自動販売機本体１の前面を覆う外扉２はヒンジ機構を介して回動自在に軸支されている。そして、外扉２の上部には、商品サンプル展示室３が設けられている。
【００４４】
商品サンプル展示室３は、前面の窓部が透明板によって覆われており、商品サンプル展示室３の内部には、缶、ビン、ＰＥＴボトル等の販売商品を模した外観で内部が空洞の樹脂製の商品サンプル４が上下複数段に分けて左右方向に並べられている。
【００４５】
また、商品サンプル４の前方の透明板には、商品サンプル４に対応して、それぞれ選択ボタン５を設けている。また、外扉２の内側には断熱性を有する内扉６が設けられる。また、商品サンプル展示室３は、内扉６の前面を形成する白色のディスプレーパネル１９の前方に形成される。
【００４６】
なお、商品サンプル４は、商品サンプル展示室３の背面を構成するディスプレーパネル１９に支持させたサンプル台７の上に整列した状態で搭載されている。なお、サンプル台７の上面には商品サンプル４に合わせて形成された複数の開口部があり、商品サンプル４は、その開口部を上から覆うように取り付けられる。
【００４７】
サンプル台７の前面には各商品サンプル４に対応する商品の冷温と商品の価格を表示する表示部が設けられ、商品を選択する時に押す選択ボタン５は、その表示部の下側に近接するように、商品サンプル展示室３の前面を構成する透明板に設けられる。また、サンプル台７は下面が開口している。
【００４８】
また、商品サンプル展示室３には、商品サンプル展示室３及び商品サンプル４を照明する照明ユニットとしての左右方向に長いＬＥＤユニット１１を、上下複数段のサンプル台７の上に整列した商品サンプル４を上下方向から照明できるように、商品サンプル展示室３内の上部と、サンプル台７の内部に配置している。
【００４９】
サンプル台７の内部に配置されたＬＥＤユニット１１は、サンプル台７の上面の開口部を通して各商品サンプル４の内側から上側に隣接する各商品サンプル４を照明する。そのため、各商品サンプル４は、各商品サンプル４の内側から照明可能に構成されている。
【００５０】
最上段の各商品サンプル４は、商品サンプル展示室３内の上部に配置されたＬＥＤユニット１１により上から照明され、最上段以外の各商品サンプル４は、その上側に隣接するサンプル台７の内部に配置されたＬＥＤユニット１１により上から照明される。
【００５１】
また、ディスプレーパネル１９とサンプル台７は、白色であるため、ディスプレーパネ
ル１９とサンプル台７による反射光も、各商品サンプル４の外側からの照明となる。
【００５２】
ＬＥＤユニット１１は、断面が略楕円形の透明の直管１２内に複数のＬＥＤ素子を両面に実装した基板１３を内蔵している。なお、基板１３の板面と直管１２は平行であり、複数のＬＥＤ素子は、直管１２の長手方向に所定間隔で並んでいる。また、直管１２は、長径方向が基板１３の板面に略平行な略楕円形の管である。なお、直管１２は半透明または光透過性の白色でも構わない。
【００５３】
また、直管１２の長径方向の内周面には、基板１３の長手方向と基板１３の厚み方向の両方向に垂直な方向（前後方向）の基板１３の両端を挟持するリブが設けられている。
【００５４】
なお、最上段の各商品サンプル４の上方に配置するＬＥＤユニット１１には、複数のＬＥＤ素子を下面のみに実装した基板１３を用いても構わず、最下段の各商品サンプル４の下方に配置するＬＥＤユニット１１には、複数のＬＥＤ素子を上面のみに実装した基板１３を用いても構わない。
【００５５】
ＬＥＤユニット１１の直管１２の左端には、直管１２の左側の開口部内に右側の一部が挿入されて直管１２の左側の開口部を塞ぐ楕円柱部１４ａと、楕円柱部１４ａの左側に突出し中心軸が直管１２及び楕円柱部１４ａの中心軸と略一致し外径が楕円柱部１４ａの略楕円形の短径より小さい略円柱形状のボス部１４ｂとからなる左栓部材１４が設けられている。
【００５６】
ＬＥＤユニット１１の直管１２の右端には、直管１２の右側の開口部内に左側の一部が挿入されて直管１２の右側の開口部を塞ぐ楕円柱部１５ａと、楕円柱部１５ａの右側に突出し中心軸が直管１２及び楕円柱部１５ａの中心軸と略一致し外径が楕円柱部１５ａの略楕円形の短径より小さい略円柱形状のボス部１５ｂとからなる右栓部材１５が設けられている。
【００５７】
左栓部材１４のボス部１４ｂの外周面の上側には長手方向に連続して直管１２及び楕円柱部１４ａの略楕円形の短径方向外側に突出する鍵状凸部２０を有する。なお、ボス部１４ｂの先端は面取りされている。
【００５８】
また、右栓部材１５のボス部１５ｂは、前後方向に２分割され、その前後方向に２分割された部分の前側と後ろ側との間には、所定間隔の隙間が設けられている。また、その前後方向に２分割された部分のうちの前側は、断面が半円より大きくなっており、その先端は面取りされている。
【００５９】
また、前後方向に２分割された部分のうちの後ろ側は、前後方向の寸法が上下方向の寸法よりも小さくて径方向内側に弾性変形可能な軸部の先端にＬＥＤユニット係止爪１６を有する。
【００６０】
なお、ＬＥＤユニット係止爪１６は、前後方向に２分割された部分のうちの前側の左端部よりも左側に突出し、前後方向に２分割された部分のうちの後ろ側の軸部の後ろ側の外周面よりも直管１２及び楕円柱部１５ａの略楕円形の長径方向後ろ側に突出し、ＬＥＤユニット係止爪１６の後ろ側の外周面は、右端に向かうほど直管１２及び楕円柱部１５ａの中心軸との距離が小さくなっている。
【００６１】
ＬＥＤユニット１１の左端部となるボス部１４ｂは左ＬＥＤホルダー１７の軸支部によりディスプレーパネル１９の前方にて軸支され、ＬＥＤユニット１１の右端部となるボス部１５ｂは右ＬＥＤホルダー１８の軸支部によりディスプレーパネル１９の前方にて軸支
されている。
【００６２】
左ＬＥＤホルダー１７の軸支部には、鍵状凸部２０を有するボス部１４ｂと嵌合する鍵状貫通孔２１を設けており、左側のボス部１４ｂが左ＬＥＤホルダー１７の鍵状貫通孔２１に挿入されて軸支された状態のＬＥＤユニット１１が周方向に回転できないよう拘束している。
【００６３】
一方、右ＬＥＤホルダー１８の軸支部には、ボス部１５ｂにおけるＬＥＤユニット係止爪１６よりも直管１２側の部分と嵌合する円形貫通孔２２を設けている。
【００６４】
そして、ＬＥＤユニット係止爪１６は、右ＬＥＤホルダー１８の軸支部の円形貫通孔２２に左側から挿入される時に、円形貫通孔２２の左側の縁または円形貫通孔２２の内周面に押されて径方向内側（直管１２の中心軸方向、または前方）に弾性変形し、その弾性変形した状態で円形貫通孔２２を通り抜けた後、径方向外側（後ろ側）へ広がり、ＬＥＤユニット係止爪１６における直管１２側の面が右ＬＥＤホルダー１８の軸支部の右側の面と対向（略当接）する。
【００６５】
また、ＬＥＤユニット係止爪１６における直管１２側の面が右ＬＥＤホルダー１８の軸支部の右側の面と対向（略当接）している状態では、右栓部材１５の楕円柱部１５ａの右面が右ＬＥＤホルダー１８の軸支部の円形貫通孔２２の左側の周面と対向（略当接）している。
【００６６】
そして、右栓部材１５の楕円柱部１５ａの右面とＬＥＤユニット係止爪１６とで発生する締結力でＬＥＤユニット１１の右端が右ＬＥＤホルダー１８に固定され、ＬＥＤユニット１１の長手（左右）方向への位置ずれを制限している。
【００６７】
左ＬＥＤホルダー１７と右ＬＥＤホルダー１８は、ディスプレーパネル１９のＬＥＤユニット１１の長手方向に略平行な面に各々２種類の長方形の第１取付孔２３と第２取付孔２４を介して固定される。
【００６８】
第１取付孔２３はディスプレーパネル１９の左右方向の外側へ、第２取付孔２４は第１取付孔２３よりもディスプレーパネル１９の左右方向の内側へ配している。ディスプレーパネル１９は、内扉６の最前面を覆っている表面が白色の化粧板である。
【００６９】
第１取付孔２３は縦長の長方形で、第２取付孔２４は横長の長方形または正方形であり、第１取付孔２３の下側の縁と第２取付孔２４の下側の縁は、略同一線上に位置する。
【００７０】
そして、左ＬＥＤホルダー１７と右ＬＥＤホルダー１８は、第１取付孔２３と第２取付孔２４をディスプレーパネル１９の反ＬＥＤユニット１１側の面（背面）から貫通するように取り付けられる。
【００７１】
また、左ＬＥＤホルダー１７と右ＬＥＤホルダー１８は、ＬＥＤユニット１１の中央寄りの部分に、第２取付孔２４の内周側（第１取付孔２３側）に弾性変形可能な軸部２５と、軸部２５の先端に形成されて第２取付孔２４の外周側（反第１取付孔２３側）へ弾性復帰した時にディスプレーパネル１９の前面で第２取付孔２４におけるＬＥＤユニット１１の中央寄りの周面に係止されるホルダー係止爪２６を有している。
【００７２】
なお、軸部２５は、上下方向の寸法が第２取付孔２４の上下方向の寸法の７割前後の寸法であり、上下方向の寸法より左右方向の寸法が小さく、左ＬＥＤホルダー１７と右ＬＥＤホルダー１８における、ディスプレーパネル１９の反ＬＥＤユニット１１側の面（背面
）と対向する前面から前方に突出している。また、軸部２５を水平な平面で切断した横断面は略Ｕ字型である。
【００７３】
そして、軸部２５における最も変形する部分となるＵ字の折り返し部分が前方に位置し、固定端となるＵ字の一端が自由端となるＵ字の他端よりも第２取付孔２４の内周側で左ＬＥＤホルダー１７と右ＬＥＤホルダー１８におけるディスプレーパネル１９の反ＬＥＤユニット１１側の面（背面）と対向する前面に固定される。
【００７４】
なお、軸部２５の固定端は、軸部２５が固定端の部分で第１取付孔２３側（軸部２５が弾性変形する方向）に折れ曲がらないように軸部２５の固定端近傍部分の第１取付孔２３側（軸部２５が弾性変形する方向）の面の上下方向略中央部に軸部２５の固定端に近づくほど高くなる三角形の補強リブを設けている。
【００７５】
また、軸部２５の自由端は、軸部２５の固定端よりもＬＥＤユニット１１の中央寄り（反第１取付孔２３側）に位置し、自由端となるＵ字の他端の先端のＬＥＤユニット１１の中央寄り（反第１取付孔２３側）の面にホルダー係止爪２６が形成されている。
【００７６】
また、ホルダー係止爪２６は、第２取付孔２４の内周の反第１取付孔２３側の面に第１取付孔２３側から弾性的に当接する部分と、この第２取付孔２４の内周の反第１取付孔２３側の面に第１取付孔２３側から弾性的に当接する部分に連続する部分であってディスプレーパネル１９の前面で第２取付孔２４におけるＬＥＤユニット１１の中央寄り（反第１取付孔２３側）の周面に前方から略当接する部分を有する。
【００７７】
ホルダー係止爪２６は、軸部２５のＵ字の折り返し部分から、ディスプレーパネル１９の前面で第２取付孔２４におけるＬＥＤユニット１１の中央寄り（反第１取付孔２３側）の周面に前方から略当接する部分に向かうにつれて、ＬＥＤユニット１１の中央寄り（反第１取付孔２３側）への突出量が徐々に大きくなっている。
【００７８】
また、ディスプレーパネル１９の前面で第２取付孔２４におけるＬＥＤユニット１１の中央寄り（反第１取付孔２３側）の周面に前方から略当接する部分は、軸部２５の自由端に向かうにつれてＬＥＤユニット１１の中央寄り（反第１取付孔２３側）への突出量が急激に小さくなっている。
【００７９】
また、ホルダー係止爪２６における第２取付孔２４の内周の反第１取付孔２３側の面に第１取付孔２３側から弾性的に当接する部分は、ホルダー係止爪２６の自由端近傍のＬＥＤユニット１１の中央寄り（反第１取付孔２３側）の面に位置する。
【００８０】
また、左ＬＥＤホルダー１７と右ＬＥＤホルダー１８は、ホルダー係止爪２６と反対側に、第１取付孔２３における反第２取付孔２４側の内周の面に当接する左右変位制限部２７を設けている。
【００８１】
そして、第２取付孔２４の内周の反第１取付孔２３側の面とホルダー係止爪２６との当接と、第１取付孔２３における反第２取付孔２４側の内周の面と左右変位制限部２７との当接とにより、ディスプレーパネル１９に対する左ＬＥＤホルダー１７と右ＬＥＤホルダー１８の左右方向への位置ずれを制限している。
【００８２】
第１前後変位制限部２８は、左右変位制限部２７に隣設して左右方向（反第２取付孔２４側）に突出し、ディスプレーパネル１９におけるホルダー係止爪２６が係止される側の（ディスプレーパネル１９の前面の）第１取付孔２３における反第２取付孔２４側の周面と略当接している。なお、第１前後変位制限部２８の先端の背面側の角は、面取りしてい
る。
【００８３】
また、第１前後変位制限部２８の先端から左ＬＥＤホルダー１７または右ＬＥＤホルダー１８の軸支部におけるＬＥＤユニット１１の中央寄り（第２取付孔２４側）の面までの距離は、第１取付孔２３の左右方向の寸法より小さくなっている。
【００８４】
第２前後変位制限部２９は、ホルダー係止爪２６と第１前後変位制限部２８との間で、ディスプレーパネル１９におけるホルダー係止爪２６が係止される面とは反対側の（ディスプレーパネル１９の背面の）第２取付孔２４の周面に略当接する部分である。
【００８５】
そして、第２取付孔２４におけるＬＥＤユニット１１の中央寄り（反第１取付孔２３側）の前側の周面とホルダー係止爪２６との略当接と、第１取付孔２３における反第２取付孔２４側の前側の周面と第１前後変位制限部２８との略当接と、ディスプレーパネル１９の背面と第２前後変位制限部２９との略当接とにより、ディスプレーパネル１９に対する左ＬＥＤホルダー１７及び右ＬＥＤホルダー１８の前後方向への位置ずれを制限している。
【００８６】
さらに、左ＬＥＤホルダー１７と右ＬＥＤホルダー１８は、第２前後変位制限部２９を構成する前面から前方へ突出し第１取付孔２３及び第２取付孔２４の内周の上側の面に下から略当接する上当接部３０と、左ＬＥＤホルダー１７と右ＬＥＤホルダー１８の下面で第１取付孔２３及び第２取付孔２４の内周の下側の面に上から略当接する下当接部３１とを有する。
【００８７】
なお、上当接部３０の先端の上側の角は面取りしている。また、第１取付孔２３の内周の上側の面に下から略当接する上当接部３０のＬＥＤユニット１１の中央寄り（第２取付孔２４側）の面と、左ＬＥＤホルダー１７と右ＬＥＤホルダー１８の軸支部におけるＬＥＤユニット１１の中央寄り（第２取付孔２４側）の面は、略同一面上に位置する。
【００８８】
また、第１取付孔２３の内周の下側の面に上から略当接する下当接部３１は、左ＬＥＤホルダー１７と右ＬＥＤホルダー１８の軸支部における第１取付孔２３近傍部分の下面であり、第２取付孔２４の内周の下側の面に上から略当接する下当接部３１は、軸部２５及びホルダー係止爪２６における第２取付孔２４近傍部分の下面である。
【００８９】
そして、第１取付孔２３及び第２取付孔２４の内周の上側の面と上当接部３０との略当接と、第１取付孔２３及び第２取付孔２４の内周の下側の面と下当接部３１との略当接とにより、ディスプレーパネル１９に対する左ＬＥＤホルダー１７と右ＬＥＤホルダー１８の上下方向への位置ずれを制限している。
【００９０】
左ＬＥＤホルダー１７と右ＬＥＤホルダー１８は、左ＬＥＤホルダー１７と右ＬＥＤホルダー１８の影ができないように、透明な樹脂を成形したもの好ましい。なお、透明な樹脂の代わりに半透明または光透過性の白色の樹脂を用いても構わない。
【００９１】
また、左ＬＥＤホルダー１７と右ＬＥＤホルダー１８の第１取付孔２３及び第２取付孔２４への貫通部は、内扉６の断熱壁部が透けて見えると外観が良くないので、第１取付孔２３及び第２取付孔２４を塞ぐ部分の表面３２を樹脂成形金型へシボ加工を施し曇らせて、外観品位を損なわないようにしている。
【００９２】
本実施の形態のＬＥＤユニット１１は、基板１３のＬＥＤ素子に電力を供給するＬＥＤ電線（図示せず）を略楕円形の外周面の左端近傍部分から後ろ側に配出している。このＬＥＤ電線は、左ＬＥＤホルダー１７における第２取付孔２４を背面側から塞ぐ部分に設け
た貫通孔３３を通って、ディスプレーパネル１９の背面側で自動販売機の電源へ配線されている。
【００９３】
本実施の形態では、ＬＥＤユニット１１を左ＬＥＤホルダー１７と右ＬＥＤホルダー１８に軸支した状態において、左栓部材１４の楕円柱部１４ａの左面（ボス部１４ｂの右端）と、左ＬＥＤホルダー１７の軸支部のＬＥＤユニット１１側（楕円柱部１４ａ側）の鍵状貫通孔２１の周面との間隔を、右栓部材１５の楕円柱部１５ａの右面（ボス部１５ｂの左端）からＬＥＤユニット係止爪１６の先端までの距離と略同等以上にしている。
【００９４】
以上のように構成された自動販売機の照明装置について、以下その取り付け動作を説明する。
【００９５】
まず、ディスプレーパネル１９の背面側から左ＬＥＤホルダー１７及び右ＬＥＤホルダー１８の軸支部を第１取付孔２３に挿入し、軸支部の下当接部３１を第１取付孔２３の内周の下側の面に当接させる。
【００９６】
そして、軸部２５（ホルダー係止爪２６）を第２取付孔２４に挿入する前に、左右変位制限部２７を第１取付孔２３における反第２取付孔２４側の内周の面と当接させると共に、第１前後変位制限部２８における左右変位制限部２７に近接する部分をディスプレーパネル１９の前面の第１取付孔２３における反第２取付孔２４側の周面に当接させる。
【００９７】
そして、この状態から、第１取付孔２３における反第２取付孔２４側の縁を支点にして軸部２５（ホルダー係止爪２６）が第２取付孔２４に挿入されるように左ＬＥＤホルダー１７及び右ＬＥＤホルダー１８を回動する。この回動により、第１取付孔２３の内周の上側の面と上当接部３０とが略当接し、さらに第２取付孔２４の内周の上側の面と上当接部３０とが略当接する。
【００９８】
また、この回動の途中で、ホルダー係止爪２６を有する軸部２５が第２取付孔２４の反第１取付孔２３側の縁に押されて、軸部２５が第２取付孔２４の内周側（第１取付孔２３側）に弾性変形するが、第１取付孔２３における反第２取付孔２４側の前側の周面と第１前後変位制限部２８との略当接に続いて、ディスプレーパネル１９の背面と第２前後変位制限部２９とが略当接するまで回動した時には、軸部２５が弾性復帰する。
【００９９】
そして、軸部２５が弾性復帰すると、ホルダー係止爪２６がディスプレーパネル１９の前面で第２取付孔２４におけるＬＥＤユニット１１の中央寄り（反第１取付孔２３側）の周面に前方から略当接すると共に、第２取付孔２４の内周の反第１取付孔２３側の面に第１取付孔２３側から弾性的に当接することとなり、ディスプレーパネル１９への左ＬＥＤホルダー１７及び右ＬＥＤホルダー１８の取り付けは完了する。
【０１００】
この時、第２取付孔２４の内周の反第１取付孔２３側の面とホルダー係止爪２６との当接と、第１取付孔２３における反第２取付孔２４側の内周の面と左右変位制限部２７との当接とにより、ディスプレーパネル１９に対する左ＬＥＤホルダー１７と右ＬＥＤホルダー１８の左右方向への位置ずれを制限している。
【０１０１】
また、第２取付孔２４におけるＬＥＤユニット１１の中央寄り（反第１取付孔２３側）の前側の周面とホルダー係止爪２６との略当接と、第１取付孔２３における反第２取付孔２４側の前側の周面と第１前後変位制限部２８との略当接と、ディスプレーパネル１９の背面と第２前後変位制限部２９との略当接とにより、ディスプレーパネル１９に対する左ＬＥＤホルダー１７と右ＬＥＤホルダー１８の前後方向への位置ずれを制限している。
【０１０２】
さらに、第１取付孔２３及び第２取付孔２４の内周の上側の面と上当接部３０との略当接と、第１取付孔２３及び第２取付孔２４の内周の下側の面と下当接部３１との略当接とにより、ディスプレーパネル１９に対する左ＬＥＤホルダー１７と右ＬＥＤホルダー１８の上下方向への位置ずれを制限している。
【０１０３】
このように、左ＬＥＤホルダー１７と右ＬＥＤホルダー１８の軸部２５と左右変位制限部２７、上当接部３０、下当接部３１をディスプレーパネル１９の第１取付孔２３及び第２取付孔２４にディスプレーパネル１９の背面側から挿入して、軸部２５の先端のホルダー係止爪２６をディスプレーパネル１９における第２取付孔２４の周面に係止させると共に、第２前後変位制限部２９をディスプレーパネル１９におけるホルダー係止爪２６が係止される面とは反対側の第１取付孔２３及び第２取付孔２４の周面に当接させ、さらに、左右変位制限部２７、上当接部３０、下当接部３１を第１取付孔２３及び第２取付孔２４の縁に第１取付孔２３及び第２取付孔２４の内周側から当接させる作業だけで、左右変位制限部２７、上当接部３０、下当接部３１と第１取付孔２３及び第２取付孔２４の縁との当接と第２前後変位制限部２９とホルダー係止爪２６とで発生する締結力とにより左ＬＥＤホルダー１７及び右ＬＥＤホルダー１８をディスプレーパネル１９の第１取付孔２３及び第２取付孔２４に固定することができる。
【０１０４】
次に、左ＬＥＤホルダー１７の軸支部に設けられた鍵状貫通孔２１に、ＬＥＤユニット１１の左栓部材１４のボス部１４ｂを、鍵状凸部２０を上にして右から楕円柱部１４ａの左面が左ＬＥＤホルダー１７の軸支部に略当接するまで挿入する。
【０１０５】
左ＬＥＤホルダー１７の軸支部に設けられた鍵状貫通孔２１は、鍵状凸部２０を有するボス部１４ｂと嵌合する形状であり、左側のボス部１４ｂが左ＬＥＤホルダー１７の鍵状貫通孔２１に挿入されて軸支された状態のＬＥＤユニット１１は周方向に回転できない。
【０１０６】
次に、左ＬＥＤホルダー１７の鍵状貫通孔２１に軸支されたＬＥＤユニット１１を、ＬＥＤユニット１１の右栓部材１５のＬＥＤユニット係止爪１６とボス部１５ｂが、右ＬＥＤホルダー１８の軸支部に設けられた円形貫通孔２２の左側に近接する位置になるように回動した後、ＬＥＤユニット１１の右栓部材１５のＬＥＤユニット係止爪１６とボス部１５ｂを、右ＬＥＤホルダー１８の軸支部の円形貫通孔２２に挿入する。
【０１０７】
ＬＥＤユニット係止爪１６は、円形貫通孔２２に挿入される時に、円形貫通孔２２の左側の縁に押されて径方向内側（直管１２の中心軸方向、または前方）に弾性変形し、その後、円形貫通孔２２の内周面に押されて、弾性変形状態を維持し、円形貫通孔２２を通り抜けると、弾性復帰して円形貫通孔２２の径方向外側（後ろ側）へ広がり、ＬＥＤユニット係止爪１６における直管１２側の面が右ＬＥＤホルダー１８の軸支部の右側の面と対向（略当接）する。
【０１０８】
このとき、右栓部材１５の楕円柱部１５ａの右面が右ＬＥＤホルダー１８の軸支部の円形貫通孔２２の左側の周面と対向（略当接）するので、右栓部材１５の楕円柱部１５ａの右面とＬＥＤユニット係止爪１６とで発生する締結力でＬＥＤユニット１１の右端が右ＬＥＤホルダー１８に固定され、ＬＥＤユニット１１の長手（左右）方向への位置ずれを制限する。
【０１０９】
以上のようにして、ディスプレーパネル１９への左ＬＥＤホルダー１７と右ＬＥＤホルダー１８の取り付けと、ＬＥＤユニット１１の左ＬＥＤホルダー１７と右ＬＥＤホルダー１８の軸支部への取り付けを行うことができる。
【０１１０】
また、ＬＥＤユニット１１を取り外す場合は、ＬＥＤユニット係止爪１６が円形貫通孔
２２からのＬＥＤユニット係止爪１６とボス部１５ｂの引き抜きを妨げないように、右ＬＥＤホルダー１８の軸支部の右側に突出しているＬＥＤユニット係止爪１６を前方に移動させた状態で、左栓部材１４の楕円柱部１４ａの左面が左ＬＥＤホルダー１７の軸支部に略当接するまで、ＬＥＤユニット１１を左にずらす。
【０１１１】
その後、右ＬＥＤホルダー１８の軸支部に軸支されなくなったＬＥＤユニット１１の右側を手前右側に引きながら、左ＬＥＤホルダー１７の軸支部の鍵状貫通孔２１からＬＥＤユニット１１の左栓部材１４のボス部１４ｂを外す。
【０１１２】
以上の作業により、左ＬＥＤホルダー１７と右ＬＥＤホルダー１８からＬＥＤユニット１１を取り外すことができる。
【０１１３】
本実施の形態は、直管型の照明ユニットであるＬＥＤユニット１１の端部を支持する一対の左ＬＥＤホルダー１７及び右ＬＥＤホルダー１８と、ＬＥＤユニット１１の長手方向（左右方向）に略平行な前面に左ＬＥＤホルダー１７及び右ＬＥＤホルダー１８を取り付けるための取付孔（第１取付孔２３及び第２取付孔２４）を有するディスプレーパネル１９とを備える。
【０１１４】
そして、本実施の形態の左ＬＥＤホルダー１７及び右ＬＥＤホルダー１８は、第２取付孔２４を貫通するとともに第２取付孔２４の内周側に弾性変形可能な軸部２５と、軸部２５の先端に形成されてディスプレーパネル１９における第２取付孔２４の周面に係止され第２取付孔２４の外周側へ広がるホルダー係止爪２６と、第１取付孔２３及び第２取付孔２４の縁に第１取付孔２３及び第２取付孔２４の内周側から当接して左ＬＥＤホルダー１７及び右ＬＥＤホルダー１８がディスプレーパネル１９の面に平行な方向に変位するのを制限する変位制限部（左右変位制限部２７、ホルダー係止爪２６における第２取付孔２４の内周の反第１取付孔２３側の面に第１取付孔２３側から弾性的に当接する部分、上当接部３０と下当接部３１）と、ディスプレーパネル１９におけるホルダー係止爪２６が係止される面とは反対側の第１取付孔２３及び第２取付孔２４の周面に当接する第１当接部（第２前後変位制限部２９）とを有する。
【０１１５】
そして、本実施の形態では、変位制限部（左右変位制限部２７、ホルダー係止爪２６における第２取付孔２４の内周の反第１取付孔２３側の面に第１取付孔２３側から弾性的に当接する部分、上当接部３０と下当接部３１）と第１取付孔２３及び第２取付孔２４の縁との当接と、第１当接部（第２前後変位制限部２９）とホルダー係止爪２６とで発生する締結力とにより左ＬＥＤホルダー１７及び右ＬＥＤホルダー１８がディスプレーパネル１９の第１取付孔２３及び第２取付孔２４に固定されるように構成したのである。
【０１１６】
これにより、左ＬＥＤホルダー１７及び右ＬＥＤホルダー１８の軸部２５と変位制限部（左右変位制限部２７、ホルダー係止爪２６における第２取付孔２４の内周の反第１取付孔２３側の面に第１取付孔２３側から弾性的に当接する部分、上当接部３０と下当接部３１）をディスプレーパネル１９の第１取付孔２３及び第２取付孔２４に挿入して、軸部２５の先端のホルダー係止爪２６をディスプレーパネル１９における第２取付孔２４の周面に係止させると共に、第１当接部（第２前後変位制限部２９）をディスプレーパネル１９におけるホルダー係止爪２６が係止される前面とは反対側（背面側）の第１取付孔２３及び第２取付孔２４の周面に当接させ、さらに、変位制限部（左右変位制限部２７、ホルダー係止爪２６における第２取付孔２４の内周の反第１取付孔２３側の面に第１取付孔２３側から弾性的に当接する部分、上当接部３０と下当接部３１）を第１取付孔２３及び第２取付孔２４の縁に第１取付孔２３及び第２取付孔２４の内周側から当接させる作業だけで、変位制限部（左右変位制限部２７、ホルダー係止爪２６における第２取付孔２４の内周の反第１取付孔２３側の面に第１取付孔２３側から弾性的に当接する部分、上当接部３０
と下当接部３１）と第１取付孔２３及び第２取付孔２４の縁との当接と第１当接部（第２前後変位制限部２９）とホルダー係止爪２６とで発生する締結力とにより左ＬＥＤホルダー１７及び右ＬＥＤホルダー１８をディスプレーパネル１９の第１取付孔２３及び第２取付孔２４に固定することができる。
【０１１７】
したがって、従来のものより、直管型の照明ユニットの端部を支持する一対のホルダー（左ＬＥＤホルダー１７及び右ＬＥＤホルダー１８）を、背面のディスプレーパネル１９に簡単、確実に取付、固定することが可能となる。
【０１１８】
また、本実施の形態は、ディスプレーパネル１９におけるホルダー係止爪２６が係止される前面と同じ側（前面側）の第１取付孔２３の周面に当接する第２当接部（第１前後変位制限部２８）を有しているので、第１当接部（第２前後変位制限部２９）とホルダー係止爪２６とで発生する締結力に、第１当接部（第２前後変位制限部２９）と第２当接部（第１前後変位制限部２８）とで発生する締結力が加わるため、一対のホルダー（左ＬＥＤホルダー１７及び右ＬＥＤホルダー１８）をディスプレーパネル１９の第１取付孔２３及び第２取付孔２４にしっかりと取付、固定することができる。
【０１１９】
なお、ホルダー（左ＬＥＤホルダー１７及び右ＬＥＤホルダー１８）の背面のディスプレーパネル１９への取付については、例えば、ホルダー係止爪２６を第２取付孔２４の周面に係止させる前に、第２当接部（第１前後変位制限部２８）を第１取付孔２３の周面に当接させることができるように、第２当接部（第１前後変位制限部２８）とホルダー係止爪２６を配置して、第２当接部（第１前後変位制限部２８）を第１取付孔２３の周面に当接させた後にホルダー係止爪２６を第２取付孔２４の周面に係止させるようにホルダー（左ＬＥＤホルダー１７及び右ＬＥＤホルダー１８）の軸部２５と変位制限部（左右変位制限部２７、ホルダー係止爪２６における第２取付孔２４の内周の反第１取付孔２３側の面に第１取付孔２３側から弾性的に当接する部分、上当接部３０と下当接部３１）と第２当接部（第１前後変位制限部２８）をディスプレーパネル１９の第１取付孔２３及び第２取付孔２４に挿入すれば、ホルダー（左ＬＥＤホルダー１７及び右ＬＥＤホルダー１８）を背面のディスプレーパネル１９に簡単、確実に取り付けることができる。
【０１２０】
また、本実施の形態は、ディスプレーパネル１９におけるホルダー係止爪２６が係止される部分と、ディスプレーパネル１９における第２当接部（第１前後変位制限部２８）が当接する部分との間に、ディスプレーパネル１９における第１当接部（第２前後変位制限部２９）が当接する部分と第１取付孔２３及び第２取付孔２４が位置しているので、第２当接部（第１前後変位制限部２８）を第１取付孔２３の周面に当接させた後にホルダー係止爪２６を第２取付孔２４の周面に係止させるようにホルダー（左ＬＥＤホルダー１７及び右ＬＥＤホルダー１８）の軸部２５と変位制限部（左右変位制限部２７、ホルダー係止爪２６における第２取付孔２４の内周の反第１取付孔２３側の面に第１取付孔２３側から弾性的に当接する部分、上当接部３０と下当接部３１）と第２当接部（第１前後変位制限部２８）をディスプレーパネル１９の第１取付孔２３及び第２取付孔２４に挿入すれば、ホルダー（左ＬＥＤホルダー１７及び右ＬＥＤホルダー１８）を背面のディスプレーパネル１９に簡単、確実に取り付けることができると共に、第１当接部（第２前後変位制限部２９）とホルダー係止爪２６との締結力と、第１当接部（第２前後変位制限部２９）と第２当接部（第１前後変位制限部２８）との締結力を発生させることができる。
【０１２１】
また、本実施の形態は、ホルダー（左ＬＥＤホルダー１７及び右ＬＥＤホルダー１８）を取り付けるためのディスプレーパネル１９の取付孔を、孔の周面に第２当接部（第１前後変位制限部２８）が当接する第１取付孔２３と、軸部２５が貫通し孔の周面にホルダー係止爪２６が係止される第２取付孔２４の２つに分けており、第１当接部（第２前後変位制限部２９）がディスプレーパネル１９における第１取付孔２３と第２取付孔２４との間
の部分に当接する。
【０１２２】
上記構成にすることより、第２当接部（第１前後変位制限部２８）を第１取付孔２３の周面に当接させた後にホルダー係止爪２６を第２取付孔２４の周面に係止させるようにホルダー（左ＬＥＤホルダー１７及び右ＬＥＤホルダー１８）の第２当接部（第１前後変位制限部２８）をディスプレーパネル１９の第１取付孔２３に挿入すると共にホルダー（左ＬＥＤホルダー１７及び右ＬＥＤホルダー１８）の軸部２５をディスプレーパネル１９の第２取付孔２４に挿入すれば、ホルダー（左ＬＥＤホルダー１７及び右ＬＥＤホルダー１８）を背面のディスプレーパネル１９に簡単、確実に取り付けることができると共に、第１当接部（第２前後変位制限部２９）とホルダー係止爪２６との締結力と、第１当接部（第２前後変位制限部２９）と第２当接部（第１前後変位制限部２８）との締結力を発生させることができる。
【０１２３】
ところで、第１当接部（第２前後変位制限部２９）とホルダー係止爪２６との締結力と、第１当接部（第２前後変位制限部２９）と第２当接部（第１前後変位制限部２８）との締結力とを用いてホルダー（左ＬＥＤホルダー１７及び右ＬＥＤホルダー１８）を背面のディスプレーパネル１９に取付、固定する場合は、ホルダー係止爪２６と第２当接部（第１前後変位制限部２８）とが離れるほどホルダー（左ＬＥＤホルダー１７及び右ＬＥＤホルダー１８）をディスプレーパネル１９に取り付ける作業が容易になったり固定がより確実になったりするが、そのために取付孔を大きくすれば、取付孔または取付孔を覆っている部分が目立って外観が悪くなる。
【０１２４】
しかしながら、本実施の形態では、取付孔を、孔の周面に第２当接部（第１前後変位制限部２８）が当接する第１取付孔２３と、軸部２５が貫通し孔の周面にホルダー係止爪２６が係止される第２取付孔２４とに分けたので、取付孔を大きくする（取付孔部分の外観を悪くする）ことなく、ホルダー係止爪２６と第２当接部（第１前後変位制限部２８）とを離してホルダー（左ＬＥＤホルダー１７及び右ＬＥＤホルダー１８）をディスプレーパネル１９に取り付ける作業を容易にしたり固定をより確実にすることができ、第１取付孔２３と第２取付孔２４との間の部分を第１当接部（第２前後変位制限部２９）が当接する部分に利用することができる。
【０１２５】
また、本実施の形態では、ディスプレーパネル１９におけるホルダー係止爪２６が係止される部分と、ディスプレーパネル１９における第１当接部（第２前後変位制限部２９）が当接する部分と、ディスプレーパネル１９における第２当接部（第１前後変位制限部２８）が当接する部分とが、照明ユニットであるＬＥＤユニット１１の長手方向に並んでいる。
【０１２６】
そのため、まず、ホルダー（左ＬＥＤホルダー１７及び右ＬＥＤホルダー１８）の第２当接部（第１前後変位制限部２８）をディスプレーパネル１９に当接させ、次に（左ＬＥＤホルダー１７及び右ＬＥＤホルダー１８）の第１当接部（第２前後変位制限部２９）をディスプレーパネル１９に当接させ、最後にホルダー（左ＬＥＤホルダー１７及び右ＬＥＤホルダー１８）のホルダー係止爪２６をディスプレーパネル１９に係止させるといった順番で、ホルダー（左ＬＥＤホルダー１７及び右ＬＥＤホルダー１８）をディスプレーパネル１９に取り付ける作業を容易に行うことができる。
【０１２７】
さらに、左ＬＥＤホルダー１７及び右ＬＥＤホルダー１８の第１前後変位制限部２８をＬＥＤユニット１１の長手方向の外側へ、左ＬＥＤホルダー１７及び右ＬＥＤホルダー１８のホルダー係止爪２６をＬＥＤユニット１１の長手方向の内側へ配することにより、ＬＥＤユニット１１が外力により長手方向へ移動しても左ＬＥＤホルダー１７及び右ＬＥＤホルダー１８のホルダー係止爪２６は弾性変形することがないため、左ＬＥＤホルダー１
７及び右ＬＥＤホルダー１８がディスプレーパネル１９から外れるのを防止することができる。
【０１２８】
また、本実施の形態では、ホルダー（左ＬＥＤホルダー１７及び右ＬＥＤホルダー１８）が、ディスプレーパネル１９の反照明ユニット側（背面側）からディスプレーパネル１９に取付けられる。
【０１２９】
そのため、ホルダー（左ＬＥＤホルダー１７及び右ＬＥＤホルダー１８）がディスプレーパネル１９から外れる場合に、ディスプレーパネル１９の照明ユニット（ＬＥＤユニット１１）側（前側）ではなく反照明ユニット（反ＬＥＤユニット１１）側（背面側）に外れるようにすることができる。
【０１３０】
そして、ホルダー（左ＬＥＤホルダー１７及び右ＬＥＤホルダー１８）がディスプレーパネル１９から反照明ユニット（反ＬＥＤユニット１１）側（背面側）に外れる場合は、照明ユニット（ＬＥＤユニット１１）側（前側）に外れる場合よりも、ホルダー（左ＬＥＤホルダー１７及び右ＬＥＤホルダー１８）と照明ユニット（ＬＥＤユニット１１）が落下せずに外れたままの状態で留まる可能性が高い。
【０１３１】
そして、ホルダー（左ＬＥＤホルダー１７及び右ＬＥＤホルダー１８）と照明ユニット（ＬＥＤユニット１１）が落下せずに外れたままの状態で留まれば、ホルダー（左ＬＥＤホルダー１７及び右ＬＥＤホルダー１８）と照明ユニット（ＬＥＤユニット１１）を破損させて新しいものに取り換えることなく取り付け直すことができる可能性が非常に高い。
【０１３２】
また、本実施の形態は、ホルダー（左ＬＥＤホルダー１７及び右ＬＥＤホルダー１８）を透明な樹脂で成形しているので、照明ユニット（ＬＥＤユニット１１）の光がホルダー（左ＬＥＤホルダー１７及び右ＬＥＤホルダー１８）を透過する。
【０１３３】
そのため、ホルダー（左ＬＥＤホルダー１７及び右ＬＥＤホルダー１８）の影や、照明ユニット（ＬＥＤユニット１１）の長手方向両側にホルダー（左ＬＥＤホルダー１７及び右ＬＥＤホルダー１８）による比較的暗い部分が目立たなくなり、特に、自動販売機の商品サンプル展示室３の照明に用いる場合は、商品サンプル展示室３の外観が良くなる。
【０１３４】
また、本実施の形態は、ホルダー（左ＬＥＤホルダー１７及び右ＬＥＤホルダー１８）における第１取付孔２３及び第２取付孔２４を塞ぐ部分の表面を荒らして曇らせているので、第１取付孔２３及び第２取付孔２４を通してディスプレーパネル１９の奥にある内扉６の断熱材などの部材が外部から見えにくくなり、商品サンプル展示室３の外観が良くなる。
【０１３５】
また、弾性変形可能な軸部２５は、ホルダー係止爪２６の回動軸を鉛直方向にすることにより、ＬＥＤユニット１１を支持する左ＬＥＤホルダー１７及び右ＬＥＤホルダー１８の重量によって弾性変形することがないため、左ＬＥＤホルダー１７及び右ＬＥＤホルダー１８をディスプレーパネル１９から外れることなく確実に固定することができる。
【０１３６】
また、本実施の形態で用いるＬＥＤユニット１１は、ＬＥＤ素子を有する基板１３を直管１２内に有する。また、直管１２の左端には、直管１２の左側の開口部を塞ぐ楕円柱部１４ａと、楕円柱部１４ａの左側に突出し外径が楕円柱部１４ａの略楕円形の短径より小さい略円柱形状のボス部１４ｂとからなる左栓部材１４が設けられる。また、直管１２の右端には、直管１２の右側の開口部を塞ぐ楕円柱部１５ａと、楕円柱部１５ａの右側に突出し外径が楕円柱部１５ａの略楕円形の短径より小さい略円柱形状のボス部１５ｂとからなる右栓部材１５が設けられる。
【０１３７】
また、ＬＥＤユニット１１の左端を軸支する左ＬＥＤホルダー１７は、左栓部材１４のボス部１４ｂが嵌合挿入される鍵状貫通孔２１を軸支部に有し、ＬＥＤユニット１１の右端を軸支する右ＬＥＤホルダー１８は、右栓部材１５のボス部１５ｂが挿入される円形貫通孔２２を軸支部に有する。
【０１３８】
また、ＬＥＤユニット１１の右栓部材１５のボス部１５ｂは、左右方向に対して垂直な方向に分割形成されて円形貫通孔２２の径方向内側に弾性変形可能な軸部の先端にＬＥＤユニット係止爪１６を有する。
【０１３９】
このＬＥＤユニット係止爪１６は、円形貫通孔２２の径方向内側に弾性変形することにより、右ＬＥＤホルダー１８の軸支部の円形貫通孔２２を通過可能であり、円形貫通孔２２を通過後に、円形貫通孔２２の径方向外側へ広がって右ＬＥＤホルダー１８の軸支部の右側の円形貫通孔２２の周面に係止される。
【０１４０】
そして、ＬＥＤユニット係止爪１６が右ＬＥＤホルダー１８の軸支部の右側の円形貫通孔２２の周面に係止される時に、右栓部材１５の楕円柱部１５ａの右端の面が右ＬＥＤホルダー１８の軸支部の左側の円形貫通孔２２の周面に略当接するように構成しており、右栓部材１５の楕円柱部１５ａの右端の面とＬＥＤユニット係止爪１６とで発生する締結力でＬＥＤユニット１１の右端部が右ＬＥＤホルダー１８の軸支部に固定されるようになっている。
【０１４１】
上記構成により、左ＬＥＤホルダー１７の軸支部に設けられた鍵状貫通孔２１に、ＬＥＤユニット１１の左栓部材１４のボス部１４ｂを、右から挿入した後、ＬＥＤユニット１１の右栓部材１５のＬＥＤユニット係止爪１６とボス部１５ｂを、右ＬＥＤホルダー１８の軸支部の円形貫通孔２２に、ＬＥＤユニット係止爪１６が円形貫通孔２２を通り抜けるまで挿入して、ＬＥＤユニット係止爪１６における直管１２側の面が右ＬＥＤホルダー１８の軸支部の右側の面と対向（略当接）し、右栓部材１５の楕円柱部１５ａの右面が右ＬＥＤホルダー１８の軸支部の円形貫通孔２２の左側の周面と対向（略当接）するようにすることにより、ＬＥＤユニット１１を左ＬＥＤホルダー１７と右ＬＥＤホルダー１８の軸支部に取り付けることができる。
【０１４２】
このＬＥＤユニット１１の取付状態では、右栓部材１５の楕円柱部１５ａの右面とＬＥＤユニット係止爪１６とで発生する締結力でＬＥＤユニット１１の右端が右ＬＥＤホルダー１８に固定され、ＬＥＤユニット１１の長手（左右）方向への位置ずれを制限できる。
【０１４３】
また、ＬＥＤユニット１１を取り外す場合は、ＬＥＤユニット係止爪１６が円形貫通孔２２からのＬＥＤユニット係止爪１６とボス部１５ｂの引き抜きを妨げないように、右ＬＥＤホルダー１８の軸支部の右側に突出しているＬＥＤユニット係止爪１６を円形貫通孔２２の内周側に移動させた状態で、ＬＥＤユニット１１の右側が右ＬＥＤホルダー１８の軸支部に軸支されなくなるまでＬＥＤユニット１１を左にずらす。
【０１４４】
その後、右ＬＥＤホルダー１８の軸支部に軸支されなくなったＬＥＤユニット１１の右側を手前右側に引きながら、左ＬＥＤホルダー１７の軸支部の鍵状貫通孔２１からＬＥＤユニット１１の左栓部材１４のボス部１４ｂを外す作業により、左ＬＥＤホルダー１７と右ＬＥＤホルダー１８からＬＥＤユニット１１を取り外すことができる。
【０１４５】
従来の蛍光灯と同じ口金形状を有した異形ＬＥＤユニット３４については、専用のＬＥＤアダプター３５を介して左ＬＥＤホルダー１７と右ＬＥＤホルダー１８に支持する。
【０１４６】
この異形ＬＥＤユニット３４の両端の口金には、異形ＬＥＤユニット３４の長手方向へ各々２本のピン３６を突設している。また、断面が円形の透明な直管３７の口金近傍には専用のＬＥＤアダプター３５の一部を係止する係止孔３８を配している。なお、本実施の形態での異形ＬＥＤユニット３４のピン３６には、先に説明したＬＥＤユニット１１と同様に、基板１３のＬＥＤ素子に電力を供給するＬＥＤ電線が接続されていない。
【０１４７】
異形ＬＥＤユニット３４対応の右ＬＥＤホルダー１８の軸支部には、左ＬＥＤホルダー１７の鍵状貫通孔２１と同形状の鍵状貫通孔３９を設けるが、異形ＬＥＤユニット３４を使う場合の左ＬＥＤホルダー１７の軸支部の鍵状貫通孔２１と、右ＬＥＤホルダー１８の軸支部の鍵状貫通孔３９は、ＬＥＤアダプター３５の嵌合部４１と嵌合させるためのものである。
【０１４８】
ＬＥＤアダプター３５は、軸支部の鍵状貫通孔２１，３９の異形ＬＥＤユニット３４と反対側に鍵状貫通孔２１，３９よりも径が大きい円盤状の基部４０と、基部４０の一端から鍵状貫通孔２１，３９に嵌合挿入され異形ＬＥＤユニット３４の端部と嵌合する嵌合部４１を有する。
【０１４９】
嵌合部４１には２本のピン３６が嵌合する切欠部４２を備え、該嵌合方向へ鍵状凸部４３を延在している。そして、切欠部４２と鍵状凸部４３と鍵状貫通孔３９により異形ＬＥＤユニット３４が周方向に回転できないよう拘束している。
【０１５０】
さらに、ＬＥＤアダプター３５は、基部４０の円周面一端から異形ＬＥＤユニット３４の方へ延在し鍵状貫通孔３９の外側を通って係止孔３８に係止され直管３７の外周面から離れる方向に弾性変形可能な係止片４４を備えている。なお、係止片４４には、係止片４４を直管３７の外周面から離れる方向に変位させやすいように、係止片４４の自由端側または自由端までの途中に指で摘み易い摘み部を形成している。また、係止片４４が異形ＬＥＤユニット３４の前方（手前）になるように配置している。
【０１５１】
係止片４４は、直管３７の径方向内側へ付勢することにより異形ＬＥＤユニット３４の長手方向を拘束している。このようにＬＥＤアダプター３５は、鍵状貫通孔２１，３９を介して左ＬＥＤホルダー１７及び右ＬＥＤホルダー１８に異形ＬＥＤユニット３４を結合している。
【０１５２】
なお、左ＬＥＤホルダー１７用のＬＥＤアダプター３５と、右ＬＥＤホルダー１８用のＬＥＤアダプター３５とは、左右対称に構成されている。
【０１５３】
異形ＬＥＤユニット３４を、ＬＥＤアダプター３５を介して、左ＬＥＤホルダー１７及び右ＬＥＤホルダー１８に取り付ける場合は、例えば、左ＬＥＤホルダー１７用のＬＥＤアダプター３５の嵌合部４１を左ＬＥＤホルダー１７の軸支部の鍵状貫通孔２１に左側から嵌合させると共に、異形ＬＥＤユニット３４の左端の２本のピン３６を左ＬＥＤホルダー１７の軸支部の鍵状貫通孔２１内の嵌合部４１の切欠部４２に嵌合させ、左ＬＥＤホルダー１７用のＬＥＤアダプター３５の係止片４４を異形ＬＥＤユニット３４の左側の係止孔３８に係止する。
【０１５４】
次に、嵌合状態の異形ＬＥＤユニット３４と左ＬＥＤホルダー１７用のＬＥＤアダプター３５を左に寄せて、異形ＬＥＤユニット３４の右端の２本のピン３６を右ＬＥＤホルダー１８の軸支部の鍵状貫通孔３９と対向する位置に移動した後、右ＬＥＤホルダー１８用のＬＥＤアダプター３５の嵌合部４１を右ＬＥＤホルダー１８の軸支部の鍵状貫通孔３９に右側から嵌合させると共に、異形ＬＥＤユニット３４の右端の２本のピン３６を右ＬＥＤホルダー１８の軸支部の鍵状貫通孔２１内の嵌合部４１の切欠部４２に嵌合させ、右Ｌ
ＥＤホルダー１８用のＬＥＤアダプター３５の係止片４４を異形ＬＥＤユニット３４の右側の係止孔３８に係止する。
【０１５５】
このようにＬＥＤアダプター３５を介して左ＬＥＤホルダー１７及び右ＬＥＤホルダー１８に異形ＬＥＤユニット３４を取り付けた状態において、左ＬＥＤホルダー１７用のＬＥＤアダプター３５の基部４０が左ＬＥＤホルダー１７の軸支部に略当接し、右ＬＥＤホルダー１８用のＬＥＤアダプター３５の基部４０が右ＬＥＤホルダー１８の軸支部に略当接するように構成すれば、異形ＬＥＤユニット３４の左右方向への移動を制限することができる。
【０１５６】
ＬＥＤアダプター３５を介して左ＬＥＤホルダー１７及び右ＬＥＤホルダー１８に取り付けられた異形ＬＥＤユニット３４を外す場合は、一方のＬＥＤアダプター３５の係止片４４を異形ＬＥＤユニット３４の係止孔３８から外してから、その一方のＬＥＤアダプター３５と異形ＬＥＤユニット３４とを分離し、次に、他方のＬＥＤアダプター３５の係止片４４を異形ＬＥＤユニット３４の係止孔３８から外してから、その他方のＬＥＤアダプター３５と異形ＬＥＤユニット３４とを分離することにより、異形ＬＥＤユニット３４を外すことができる。
【０１５７】
以上のように、従来の蛍光灯と同じ口金形状を有した異形ＬＥＤユニット３４については、左ＬＥＤホルダー１７及び右ＬＥＤホルダー１８に上記構成のＬＥＤアダプター３５を介して支持できるので、汎用性を高めることができる。
【０１５８】
なお、異形ＬＥＤユニット３４対応の右ＬＥＤホルダー１８の軸支部には、左ＬＥＤホルダー１７の鍵状貫通孔２１と同形状の鍵状貫通孔３９を設けると説明したが、ＬＥＤユニット１１用の右ＬＥＤホルダー１８の軸支部に、左ＬＥＤホルダー１７の鍵状貫通孔２１と同形状の鍵状貫通孔３９を設けても構わない。
【産業上の利用可能性】
【０１５９】
以上のように本発明の照明装置は、従来のものより直管型の照明ユニットの端部を支持する一対のホルダーを、背面のパネルに簡単、確実に取付、固定できるので、照明付きの商品サンプル展示室を有する自動販売機に好適であるが、それに限らず照明ユニットの端部を支持する一対のホルダーがパネルに取り付けられる構造を備えた機器に適用できる。
【符号の説明】
【０１６０】
１    自動販売機本体
３    商品サンプル展示室
４    商品サンプル
１１  ＬＥＤユニット
１７  左ＬＥＤホルダー
１８  右ＬＥＤホルダー
１９  ディスプレーパネル
２１  鍵状貫通孔
２３  第１取付孔
２４  第２取付孔
２５  軸部
２６  ホルダー係止爪
２７  左右変位制限部
２８  第１前後変位制限部
２９  第２前後変位制限部
３０  上当接部
３１  下当接部
３４  異形ＬＥＤユニット
３５  ＬＥＤアダプター
３８  係止孔
３９  鍵状貫通孔
４０  基部
４１  嵌合部
４４  係止片
【図１】
2013161147.tif 000003
【図２】
2013161147.tif 000004
【図３】
2013161147.tif 000005
【図４】
2013161147.tif 000006
【図５】
2013161147.tif 000007
【図６】
2013161147.tif 000008
【図７】
2013161147.tif 000009
【図８】
2013161147.tif 000010
【図９】
2013161147.tif 000011
【図１０】
2013161147.tif 000012
【図１１】
2013161147.tif 000013
【図１２】
2013161147.tif 000014
【図１３】
2013161147.tif 000015
【図１４】
2013161147.tif 000016